(57)【要約】【課題】被接合部品に接合部品を強固に接着することができる筆記具の部品連結構造とすることを目的とする。【解決手段】接合部品の挿入部に、被接合部品への挿通方向の先端側となる小径部と該小径部の後方に位置する大径部とを形成すると共に、前記被接合部品の挿入受部に、前記接合部品の挿入部の小径部および大径部と微小な間隙を持って合致する小孔部と大孔部とを形成し、前記接合部品の挿入部を前記被接合部品の挿入受部に挿通させた際に、該接合部品の小径部と該被接合部品の小孔部との間に第一の接着剤層を、該接合部品の大径部と該被接合部品の大孔部との間に第二の接着剤層を形成して接着する。【選択図】図２
2009078402.tif 000002
【特許請求の範囲】
【請求項１】
外面に挿入部を有する接合部品と内面に挿入受部を有する被接合部品とを、前記接合部品の挿入部を前記被接合部品の挿入受部に挿通させ、該被接合部品の挿入受部に塗布した接着剤により双方を接着してなる筆記具の部品連結構造において、前記接合部品の挿入部に、前記被接合部品への挿通方向の先端側となる小径部と該小径部の後方に位置する大径部とを形成すると共に、前記被接合部品の挿入受部に、前記接合部品の挿入部の小径部および大径部と微小な間隙を持って合致する小孔部と大孔部とを形成し、前記接合部品の挿入部を前記被接合部品の挿入受部に挿通させた際に、該接合部品の小径部と該被接合部品の小孔部との間に第一の接着剤層を、該接合部品の大径部と該被接合部品の大孔部との間に第二の接着剤層を形成して接着することを特徴とした筆記具の部品連結構造。
【請求項２】
前記接合部品の挿入部の外面に溝部を形成し、前記被接合部品の挿入受部の内面に前記接合部品の挿入部に形成した溝部に対向する凹部を形成したことを特徴とした請求項１に記載の筆記具の部品連結構造。
【請求項３】
前記被接合部品の挿入受部の凹部が雌螺子の谷部からなることを特徴とした請求項２に記載の筆記具の部品連結構造。
【発明の詳細な説明】
【技術分野】
【０００１】
本発明は、外面に挿入部を有する接合部品と内面に挿入受部を有する被接合部品とを、接合部品の挿入部を被接合部品の挿入受部に挿通させ、被接合部品の挿入受部に塗布した接着剤により双方を接着してなる筆記具の部品連結に関する。
【背景技術】
【０００２】
従来より筆記具の部品連結構造において、例えば軸筒本体やキャップ本体等の被接合部品の端部に、金輪や頭冠や尾冠等あるいは他の軸筒部品である接合部品を挿着した構造の筆記具は広く市場に普及している。特に被接合部品と接合部品の外面に絵柄や刻印を設けて一致させる場合には、位置合せが螺子の寸法制度により狂いやすい螺合構造を用いるよりも、被接合部品に接合部品を位置合せしながら挿通させて挿着する構造を用いることが好ましい。尚、被接合部品に接合部品を固着する場合の多くには、接着剤を用いて固着しており、特に強固に接着する場合には、例えば実開昭６３−４７１８６号に開示されているように、被接合部品へ挿入する接合部品の挿入部に円周状の溝部を設け、溝部に入り込んだ接着剤が固化することにより、被接合部品に対して接合部品を抜止とする構造が採用されている。さらに当該構造を実開昭６３−４７１８６号に開示されている図を用いて説明すると、従来構造は、被接合部品（実施例中は外筒）の開口端近傍に塗布した接着剤を、接合部品（実施例中はネジ管）に形成した段部で押し出して当該段部に隣接した溝部に入れ込んで固化させ、固化した接着剤により接合部品の抜止とする構造である。また接合部品の溝部の前方には、外径が被接合部品の内径より接着剤の厚さ分だけ小さい第２の段部を設けてあり、接着剤によって接合部品の第２の段部の表面と被接合部品の内面とを接着させる構造である。
【特許文献１】「実開昭６３−４７１８６号公報」
【発明の開示】
【発明が解決しようとする課題】
【０００３】
ところで前述の従来構造では、接合部品の溝部に対しては接着剤が入って固化することで抜止となるが、被接合部品に対しては接着剤が被接合部品の内面に接するだけなので、可能な限り接合部品の挿入部は被接合部品の内面に対して大きな接着面積を得ることが好ましいが、従来構造は、接合部品を被接合部品に挿通させる時に、接合部品の前方部で被接合部品の開口端近傍の接着剤を取り除いてしまわないようにするために、接合部品の前方部の外面と、被接合部品の内面との間に隙間を設けてあり、その為接合部品の前方部には接着剤を付着できず、その結果接合部品の前方部と被接合部品の内面が接着されないので、接着力の強度不足で被接合部品から接合部品が脱落してしまう場合があった。
【０００４】
本発明はこうした問題を鑑みて、被接合部品に接合部品を強固に接着することができる筆記具の部品連結構造とすることを目的とする。
【課題を解決するための手段】
【０００５】
本発明は、
「１．外面に挿入部を有する接合部品と内面に挿入受部を有する被接合部品とを、前記接合部品の挿入部を前記被接合部品の挿入受部に挿通させ、該被接合部品の挿入受部に塗布した接着剤により双方を接着してなる筆記具の部品連結構造において、前記接合部品の挿入部に、前記被接合部品への挿通方向の先端側となる小径部と該小径部の後方に位置する大径部とを形成すると共に、前記被接合部品の挿入受部に、前記接合部品の挿入部の小径部および大径部と微小な間隙を持って合致する小孔部と大孔部とを形成し、前記接合部品の挿入部を前記被接合部品の挿入受部に挿通させた際に、該接合部品の小径部と該被接合部品の小孔部との間に第一の接着剤層を、該接合部品の大径部と該被接合部品の大孔部との間に第二の接着剤層を形成して接着することを特徴とした筆記具の部品連結構造。
２．前記接合部品の挿入部の外面に溝部を形成し、前記被接合部品の挿入受部の内面に前記接合部品の挿入部に形成した溝部に対向する凹部を形成したことを特徴とした１項に記載の筆記具の部品連結構造。
３．前記被接合部品の挿入受部の凹部が雌螺子の谷部からなることを特徴とした２項に記載の筆記具の部品連結構造。」である。
【０００６】
本発明の接合部品とは、金輪や頭冠や尾冠等あるいは軸筒の一部を構成する部材のことをいい、また被接合部品とは、軸筒本体やキャップ本体等の前記接合部品を挿着する部材のことをいう。
【発明の効果】
【０００７】
第一の発明では、接合部品の挿入部に、被接合部品への挿通方向の先端側となる小径部と該小径部の後方に位置する大径部とを設けると共に、被接合部品の挿入受部に、接合部品の挿入部の小径部および大径部と微小な間隙を持って合致する小孔部と大孔部とを形成するので、接合部品を被接合部品に挿通する際に、接合部品の小径部が被接合部品の大孔部に対して隙間を持って進入することができ、接合部品の挿入部の前方部で擦られて被接合部品の開口端近傍に塗布した接着剤が取り除かれてしまうことはなく、また、接合部品の小径部が被接合部品の小孔部に、且つ接合部品の大径部が被接合部品の大孔部に合致するまで挿通させると、接合部品の小径部と被接合部品の小孔部との間には第一の接着剤層が、接合部品の大径部と被接合部品の大孔部との間には第二の接着剤層が形成されるように接着できるので、接合部品の挿入部を被接合部品に対して大きな接着面積で接着することができる。
【０００８】
第二の発明では、接合部品の挿入部の外面に溝部を形成し、被接合部品の挿入受部の内面に前記接合部品の挿入部に形成した溝部に対向する凹部を形成するので、接着剤が固化した時に、接合部品の溝部と被接合部品の凹部の位置で固まった接着剤の塊により、強固な抜止状態となる。
【０００９】
第三の発明では、被接合部品の挿入受部の凹部を雌螺子で成すことから連続する凹部を形成することが容易であり、且つ凹部が連続する雌螺子の谷部であることから挿入受部の表面積が平滑な面に比べて飛躍的に増大し、結果的に接着面積が増加して接着強度を向上させることができる。尚、挿入部の外面の溝部を挿入部の外面に雄螺子を設けることにより形成してもよい。この場合、互いの部品は位置合せが必要となるため挿入受部の雌螺子と挿入部の雄螺子とは螺合しないようにすることが望ましい。
【発明を実施するための最良の形態】
【００１０】
次に図面を参照しながら本実施例の説明を行う。円筒状のキャップ本体の開口端縁側に金輪を挿着した構造の筆記具用キャップについて説明するが、本発明は以下の実施例に限定されるものではない。図中の同じ部材、同じ部品については、同じ符号としてある。
【００１１】
図１は本実施例のキャップで一部を断面とした図である。図２はキャップ本体と金輪とを外した状態の図である。図３は要部拡大端面図である。図３はキャップ本体と金輪とを外した状態の図である。キャップ１は、キャップ本体２の側面にクリップ３を配し、上端にはクリップ３の基部を固定する端部部材４を付設してある。またキャップ本体２の開口端縁側には金輪５を接着剤６にて接着してある。金輪５はキャップ本体２から露出した鍔部５ａの上方に挿入部５ｂを設けてあり、挿入部５ｂは、キャップ本体２への挿通方向の先端側となる小径部５ｃと、小径部５ｃの後方に位置する大径部５ｄとを形成してある。またキャップ本体２の内面には、金輪５の挿入部５ｂを受ける挿入受部２ａを設けてあり、挿入受部２ａは、金輪５の挿入部５ｂの小径部５ｃおよび大径部５ｄと微小な間隙を持って合致する小孔部２ｂと大孔部２ｃを形成してある。
【００１２】
また本実施例では、金輪５の大径部５ｄに、円周状の溝部５ｅを形成し、キャップ本体２の挿入受部２ａの内面に雌螺子２ｅを形成してある。図１及び図２に示すように本実施例では、金輪５の小径部５ｃとキャップ本体２の小孔部２ｂとの間に第一の接着剤層６ａが、また金輪５の大径部５ｄとキャップ本体２の大孔部２ｃとの間に第二の接着剤層６ｂが形成され、さらに金輪５の溝部５ｅとキャップ本体２の雌螺子２ｄの谷部２ｅとの間に接着剤塊６ｃが形成される。
【００１３】
尚、本実施例においては、金輪５の小径部５ｃと大径部５ｄ及びキャップ本体２の小孔部５ｃと大孔部５ｄとの段差が０．１５ｍｍあるため、金輪５の小径部５ｃはキャップ本体２の大孔部２ｃに対して隙間を持って進入することができ、金輪５の挿入部５ｂの前方部で擦られてキャップ本体２の開口端近傍に塗布した接着剤が取り除かれてしまうことはなかった。また金輪５の小径部５ｃがキャップ本体２の小孔部２ｂに、且つ金輪５の大径部５ｄがキャップ本体２の大孔部２ｃに合致するまで挿通させた状態の時には、前記第一の接着剤層６ａ及び第二の接着剤層６ｂが形成され、結果としてキャップ本体２に金輪５を大きな接着面積で接着することができた。また本実施例では金輪５の溝部５ｅの深さ及び雌螺子２ｄの谷部２ｅの深さを０．１ｍｍとしてあることから、固化した接着剤塊６ｃが抜止となってキャップ本体２から金輪５が脱落することを防止できた。
【産業上の利用可能性】
【００１４】
本発明による筆記具の部品連結構造は、筆記具以外にも、化粧具や塗布具等の筒状の被接合部品とそれに挿入する接合部品とからなるものに用いることが可能である。
【図面の簡単な説明】
【００１５】
【図１】本実施例のキャップで一部を断面とした図である。
【図２】キャップ本体と金輪とを外した状態の図である。
【図３】要部拡大端面図である。
【符号の説明】
【００１６】
１…キャップ、
２…キャップ本体、２ａ…挿入受部、２ｂ…小孔部、２ｃ…大孔部、２ｄ…雌螺子、
２ｅ…谷部、
３…クリップ、４…端部部材、
５…金輪、５ａ…鍔部、５ｂ…挿入部、５ｃ…小径部、５ｄ…大径部、５ｅ…溝部、
６…接着剤、６ａ…第一の接着剤層、６ｂ…第二の接着剤層、６ｃ…接着剤塊。
【図１】
2009078402.tif 000003
【図２】
2009078402.tif 000004
【図３】
2009078402.tif 000005